(57)【要約】【課題】駆動ローラーと従動ローラーとの間で挟みつつ記録媒体を搬送する画像記録装置および画像記録方法において画質が低下するのを抑制可能とする。【解決手段】回転することで記録媒体を搬送する駆動ローラーと、駆動ローラーとの間に記録媒体を挟む従動ローラーと、駆動ローラーより記録媒体の搬送方向である第１方向の下流側に配置されて記録媒体に画像を記録可能な記録部と、駆動ローラーおよび記録部を制御することで第１方向へ記録媒体を搬送しつつ記録媒体に画像を記録する制御部とを備え、制御部は、第１方向への記録媒体の搬送を停止すると、第１方向と逆方向の第２方向への記録媒体の搬送を開始し、記録媒体に記録された画像を駆動ローラーと従動ローラーとの間に位置させた状態で第２方向への記録媒体の搬送を停止する。【選択図】図５
2015168156.tif 000002
【特許請求の範囲】
【請求項１】
回転することで記録媒体を搬送する駆動ローラーと、
前記駆動ローラーとの間に前記記録媒体を挟む従動ローラーと、
前記駆動ローラーより前記記録媒体の搬送方向である第１方向の下流側に配置されて前記記録媒体に画像を記録可能な記録部と、
前記駆動ローラーおよび前記記録部を制御することで前記第１方向へ前記記録媒体を搬送しつつ前記記録媒体に画像を記録する制御部と
を備え、
前記制御部は、前記第１方向への前記記録媒体の搬送を停止すると、前記第１方向と逆方向の第２方向への前記記録媒体の搬送を開始し、前記記録媒体に記録された画像を前記駆動ローラーと前記従動ローラーとの間に位置させた状態で前記第２方向への前記記録媒体の搬送を停止する画像記録装置。
【請求項２】
前記制御部は、前記第１方向への前記記録媒体の搬送を停止してから２．５秒以内に前記第２方向への前記記録媒体の搬送を開始する請求項１に記載の画像記録装置。
【請求項３】
前記駆動ローラー、前記従動ローラーおよび前記記録部を収容する外装部材と、
前記外装部材に設けられた扉と、
前記扉を施錠するロック機構と、
ユーザーからの指令を受け付けて前記制御部へ送信するユーザーインターフェースと
を備え、
前記制御部は、ユーザーからの停止指令に応じて前記第１方向への前記記録媒体の搬送を停止する場合には、前記第２方向への前記記録媒体の搬送を停止するまでは前記扉を施錠し、前記第２方向への前記記録媒体の搬送を停止してから前記扉を開錠する請求項１または２に記載の画像記録装置。
【請求項４】
前記記録媒体に光を照射する照射部を備え、
前記記録部は、光の照射によって硬化する光硬化性の液体を前記記録媒体に吐出して画像を記録し、
前記制御部は、前記記録部が前記記録媒体に記録した画像に前記照射部から光を照射することによって、前記画像が前記従動ローラーと接触した際に前記画像が前記従動ローラーに転写しない程度に前記画像を硬化させてから前記第１方向への前記記録媒体の搬送を停止する請求項１ないし３のいずれか一項に記載の画像記録装置。
【請求項５】
前記従動ローラーは外周面にゴムを有し、前記記録媒体の画像が記録される面に前記外周面で接する請求項１ないし４のいずれか一項に記載の画像記録装置。
【請求項６】
前記従動ローラーは外周面にテトラフルオロエチレン−パーフルオロアルキルビニルエーテル共重合体を有し、前記記録媒体の画像が記録される面に前記外周面で接する請求項１ないし４のいずれか一項に記載の画像記録装置。
【請求項７】
駆動ローラーと従動ローラーとの間に挟まれた記録媒体を前記記録媒体の搬送方向である第１方向に搬送しつつ、前記駆動ローラーよりも前記第１方向の下流側に配置された記録部によって前記記録媒体に画像を記録する工程と、
前記第１方向への前記記録媒体の搬送を停止すると前記第１方向と逆方向の第２方向への前記記録媒体の搬送を開始する工程と、
前記記録媒体に記録された画像を前記駆動ローラーと前記従動ローラーとの間に位置させた状態で前記第２方向への前記記録媒体の搬送を停止する工程と
を備える画像記録方法。
【発明の詳細な説明】
【技術分野】
【０００１】
この発明は、駆動ローラーと従動ローラーとで記録媒体を挟みつつ記録媒体を搬送する画像記録装置および画像記録方法に関する。
【背景技術】
【０００２】
特許文献１のプリンターは、駆動ローラーを回転させてシートを搬送方向へ搬送しつつ、駆動ローラーに対して搬送方向の下流側に配置された記録ヘッドによってシートに画像を記録する。特に、このプリンターは、駆動ローラーとの間でシートを挟むニップローラーを備えており、駆動ローラーとシートとの間の摩擦力を確保しつつシートを搬送する。
【先行技術文献】
【特許文献】
【０００３】
【特許文献１】特開２０１３−１１６７８６号公報
【発明の概要】
【発明が解決しようとする課題】
【０００４】
ところで、上記のようなプリンターでは、記録媒体の搬送を適宜停止させる。この際、未記録の記録媒体が、駆動ローラーとニップローラーとの間で長時間停止することで、駆動ローラーとニップローラーとの間に位置していた未記録の記録媒体が変質してしまうことがある。その結果、その後の画像記録において変質部分に画像を良好に記録できず、変質部分に記録された画像の画質が低下する場合があった。
【０００５】
この発明は上記課題に鑑みてなされたものであり、駆動ローラーと従動ローラーとの間で挟みつつ記録媒体を搬送する画像記録装置および画像記録方法において画質が低下するのを抑制可能とする画像記録装置および画像記録方法の提供を目的とする。
【課題を解決するための手段】
【０００６】
本発明にかかる画像記録装置は、上記目的を達成するために、回転することで記録媒体を搬送する駆動ローラーと、駆動ローラーとの間に記録媒体を挟む従動ローラーと、駆動ローラーより記録媒体の搬送方向である第１方向の下流側に配置されて記録媒体に画像を記録可能な記録部と、駆動ローラーおよび記録部を制御することで第１方向へ記録媒体を搬送しつつ記録媒体に画像を記録する制御部とを備え、制御部は、第１方向への記録媒体の搬送を停止すると、第１方向と逆方向の第２方向への記録媒体の搬送を開始し、記録媒体に記録された画像を駆動ローラーと従動ローラーとの間に位置させた状態で第２方向への記録媒体の搬送を停止することを特徴とする。
【０００７】
本発明にかかる画像記録方法は、上記目的を達成するために、駆動ローラーと従動ローラーとの間に挟まれた記録媒体を記録媒体の搬送方向である第１方向に搬送しつつ、駆動ローラーよりも第１方向の下流側に配置された記録部によって記録媒体に画像を記録する工程と、第１方向への記録媒体の搬送を停止すると第１方向と逆方向の第２方向への記録媒体の搬送を開始する工程と、記録媒体に記録された画像を駆動ローラーと従動ローラーとの間に位置させた状態で第２方向への記録媒体の搬送を停止する工程とを備えることを特徴とする。
【０００８】
このように構成された本発明（画像記録装置、画像記録方法）では、従動ローラーと駆動ローラーとの間に挟まれた記録媒体を第１方向（記録媒体の搬送方向）に搬送しつつ、駆動ローラーよりも第１方向の下流側に配置された記録部によって記録媒体に画像を記録する。かかる構成では、第１方向への記録媒体の搬送を停止した際には、未記録の記録媒体が駆動ローラーと従動ローラーとの間で停止することとなる。そのため、記録媒体の搬送を停止する時間が長くなると上述の課題が生じるおそれがある。
【０００９】
これに対して本発明では、第１方向への記録媒体の搬送を停止すると、第１方向と逆方向の第２方向への記録媒体の搬送を開始する。そして、記録媒体に記録された画像を駆動ローラーと従動ローラーとの間に位置させた状態で、第２方向への記録媒体の搬送を停止する。したがって、未記録の記録媒体が駆動ローラーと従動ローラーとの間で停止する時間は、第１方向への搬送を停止してから第２方向への搬送を開始するまでの時間に抑えることができる。その結果、未記録の記録媒体の変質を抑えて、画質が低下するのを抑制することが可能となっている。
【００１０】
この際、制御部は、第１方向への記録媒体の搬送を停止してから２．５秒以内に第２方向への記録媒体の搬送を開始するように、画像記録装置を構成しても良い。かかる構成では、未記録の記録媒体が駆動ローラーと従動ローラーとの間で停止する時間を２．５秒以内に抑えることができる。その結果、画質が低下するのをより確実に抑制することができる。
【００１１】
また、駆動ローラー、従動ローラーおよび記録部を収容する外装部材と、外装部材に設けられた扉と、扉を施錠するロック機構と、ユーザーからの指令を受け付けて制御部へ送信するユーザーインターフェースとを備え、制御部は、ユーザーからの停止指令に応じて第１方向への記録媒体の搬送を停止する場合には、第２方向への記録媒体の搬送を停止するまでは扉を施錠し、第２方向への記録媒体の搬送を停止してから扉を開錠するように、画像記録装置を構成しても良い。かかる構成では、第２方向への記録媒体の搬送が停止するまでは、扉の施錠によってユーザーが外装部材の内部にアクセスするのを防止できるとともに、第２方向への記録媒体の搬送が停止した後は扉の開錠によってユーザーが外装部材の内部に対して所望の作業を実行できる。
【００１２】
また、記録媒体に光を照射する照射部を備え、記録部は、光の照射によって硬化する光硬化性の液体を記録媒体に吐出して画像を記録し、制御部は、記録部が記録媒体に記録した画像に照射部から光を照射することによって、画像が従動ローラーと接触した際に画像が従動ローラーに転写しない程度に画像を硬化させてから第１方向への記録媒体の搬送を停止するように、画像記録装置を構成しても良い。かかる構成では、記録媒体に記録された画像を硬化させてから第１方向への記録媒体の搬送を停止する。したがって、その後の第２方向への記録媒体の搬送によって駆動ローラーと従動ローラーの間に位置させる画像は、光の照射によって硬化したものとなる。よって、未硬化の画像に接触することによって従動ローラーが汚れるのを抑制することができる。
【００１３】
また、従動ローラーは外周面にゴムを有し、記録媒体の画像が記録される面に外周面で接するように、画像記録装置を構成しても良い。かかる構成では、上述した画質の低下が記録媒体に生じやすい。そこで、本発明を適用して画質の低下を抑制することが好適となる。
【００１４】
また、従動ローラーは外周面にテトラフルオロエチレン−パーフルオロアルキルビニルエーテル共重合体を有し、記録媒体の画像が記録される面に外周面で接するように、画像記録装置を構成しても良い。かかる構成においても、上述した画質の低下が記録媒体に生じる場合がある。そこで、本発明を適用して画質の低下を抑制することが好適となる。
【図面の簡単な説明】
【００１５】
【図１】本発明を実行可能なプリンターが備える装置構成を模式的に示す正面図。
【図２】プリンターが備える外装部材を模式的に示す斜視図。
【図３】図１に示すプリンターを制御する電気的構成を模式的に示すブロック図。
【図４】プリンター制御部が実行する順搬送終了制御の一例を示すフローチャート。
【図５】図４のフローチャートに従って実行される動作の一例を模式的に示す図。
【図６】ニップ荷重、ニップ時間およびニップ痕との関係を実験した結果を示す図。
【発明を実施するための形態】
【００１６】
図１は、本発明を実行可能なプリンターが備える装置構成を模式的に例示する正面図である。図１に示すように、プリンター１では、その両端が繰出軸２０および巻取軸４０にロール状に巻き付けられた１枚のシートＳ（ウェブ）が搬送経路Ｐcに沿って張架されており、シートＳは、繰出軸２０から巻取軸４０へ向かう搬送方向Ｄfへ搬送されつつ、画像記録を受ける。シートＳの基材の種類は、紙系とフィルム系に大別される。具体例を挙げると、紙系には上質紙、キャスト紙、アート紙、コート紙等があり、フィルム系には合成紙、ＰＥＴ(Polyethylene terephthalate)フィルム、ＰＰ(polypropylene)フィルム等がある。概略的には、プリンター１は、繰出軸２０からシートＳを繰り出す繰出部２（繰出領域）と、繰出部２から繰り出されたシートＳに画像を記録するプロセス部３（プロセス領域）と、プロセス部３で画像の記録されたシートＳを巻取軸４０に巻き取る巻取部４（巻取領域）を備える。なお、以下の説明では、シートＳの両面のうち、画像が記録される面を表面と称する一方、その逆側の面を裏面と称する。
【００１７】
繰出部２は、シートＳの端を巻き付けた繰出軸２０と、繰出軸２０から引き出されたシートＳを巻き掛ける従動ローラー２１とを有する。繰出軸２０は、シートＳの表面を外側に向けた状態で、シートＳの端を巻き付けて支持する。そして、繰出軸２０が回転方向Ａf（図１の時計回り）に回転することで、繰出軸２０に巻き付けられたシートＳが従動ローラー２１を経由してプロセス部３へと繰り出される。ちなみに、シートＳは、繰出軸２０に着脱可能な芯管２２を介して繰出軸２０に巻き付けられている。したがって、繰出軸２０のシートＳが使い切られた際には、ロール状のシートＳが巻き付けられた新たな芯管２２を繰出軸２０に装着して、繰出軸２０のシートＳを取り換えることが可能となっている。
【００１８】
プロセス部３は、繰出部２から繰り出されたシートＳを回転ドラム３０で支持しつつ、回転ドラム３０の外周面に沿って配置された各機能部５１、５２、６１、６２、６３により処理を適宜行って、シートＳに画像を記録するものである。このプロセス部３では、回転ドラム３０の両側に前駆動ローラー３１と後駆動ローラー３２とが設けられており、搬送方向Ｄfへ向けて前駆動ローラー３１から後駆動ローラー３２へと搬送されるシートＳが回転ドラム３０に支持されて、画像記録を受ける。
【００１９】
前駆動ローラー３１は、溶射によって形成された複数の微小突起を外周面に有しており、繰出部２から繰り出されたシートＳを裏面側から巻き掛ける。そして、前駆動ローラー３１は図１の時計回りに回転することで、繰出部２から繰り出されたシートＳを搬送方向Ｄfの下流側へと搬送する。なお、前駆動ローラー３１に対しては、弾性部材で形成された外周面を有し前駆動ローラー３１よりも弾性を有するニップローラー３１n（従動ローラー）が対向する。ここで、弾性部材としてはゴムあるいはＰＦＡ（テトラフルオロエチレン−パーフルオロアルキルビニルエーテル共重合体）等が挙げられる。このニップローラー３１nは、前駆動ローラー３１側へ付勢されており、その外周面でシートＳの表面に当接しつつシートＳの搬送に従動して回転する。こうして前駆動ローラー３１とニップローラー３１nとの間にシートＳを挟むことで、前駆動ローラー３１とシートＳの間の摩擦力が確保され、前駆動ローラー３１によるシートＳの搬送を確実に行なうことができる。
【００２０】
回転ドラム３０は図示を省略する支持機構により搬送方向Ｄfおよびその逆方向Ｄbの両方向に回転可能に支持された、例えば４００[mm]の直径を有する円筒形状のドラムであり、前駆動ローラー３１から後駆動ローラー３２へと搬送されるシートＳを裏面側から巻き掛ける。この回転ドラム３０は、シートＳとの間の摩擦力を受けてシートＳに従動回転しつつ、シートＳを裏面側から支持するものである。ちなみに、プロセス部３では、回転ドラム３０への巻き掛け部の両側でシートＳを折り返す従動ローラー３３、３４が設けられている。これらのうち従動ローラー３３は、前駆動ローラー３１と回転ドラム３０の間でシートＳの表面を巻き掛けて、シートＳを折り返す。一方、従動ローラー３４は、回転ドラム３０と後駆動ローラー３２の間でシートＳの表面を巻き掛けて、シートＳを折り返す。このように、回転ドラム３０に対して搬送方向Ｄfの上・下流側それぞれでシートＳを折り返すことで、回転ドラム３０へのシートＳの巻き掛け部を長く確保することができる。
【００２１】
後駆動ローラー３２は、溶射によって形成された複数の微小突起を外周面に有しており、回転ドラム３０から従動ローラー３４を経由して搬送されてきたシートＳを裏面側から巻き掛ける。そして、後駆動ローラー３２は図１の時計回りに回転することで、シートＳを搬送方向Ｄfの下流側の巻取部４へと搬送する。なお、後駆動ローラー３２に対しては、弾性部材で形成された外周面を有し後駆動ローラー３２よりも弾性を有するニップローラー３２n（従動ローラー）が対向する。ここで、弾性部材としてはゴムあるいはＰＦＡ等が挙げられる。このニップローラー３２nは、後駆動ローラー３２側へ付勢されており、その外周面でシートＳの表面に当接しつつシートＳの搬送に従動して回転する。こうして後駆動ローラー３２とニップローラー３２nとの間にシートＳを挟むことで、後駆動ローラー３２とシートＳの間の摩擦力が確保され、後駆動ローラー３２によるシートＳの搬送を確実に行なうことができる。
【００２２】
このように、前駆動ローラー３１から後駆動ローラー３２へと搬送されるシートＳは、回転ドラム３０の外周面に支持される。そして、プロセス部３では、回転ドラム３０に支持されるシートＳの表面に対してカラー画像を記録するために、互いに異なる色に対応した複数の記録ヘッド５１が設けられている。具体的には、イエロー、シアン、マゼンタおよびブラックに対応する４個の記録ヘッド５１が、この色順で搬送方向Ｄfに並ぶ。各記録ヘッド５１は、回転ドラム３０に巻き掛けられたシートＳの表面に対して若干のクリアランスを空けて対向しており、対応する色のインク（有色インク）をノズルからインクジェット方式で吐出する。そして、搬送方向Ｄfへ搬送されるシートＳに対して各記録ヘッド５１がインクを吐出することで、シートＳの表面にカラー画像が形成される。
【００２３】
ちなみに、インクとしては、紫外線（光）を照射することで硬化するＵＶ（ultraviolet）インク（光硬化性インク）が用いられる。そこで、プロセス部３では、インクを硬化させてシートＳに定着させるために、ＵＶ照射器６１、６２（照射部）が設けられている。なお、このインク硬化は、仮硬化と本硬化の二段階に分けて実行される。複数の記録ヘッド５１の各間には、仮硬化用のＵＶ照射器６１が配置されている。つまり、ＵＶ照射器６１は弱い照射強度の紫外線を照射することで、インクの濡れ広がり方が紫外線を照射しない場合に比べて十分に遅くなる程度にインクを硬化（仮硬化）させるものであり、インクを本硬化させるものではない。一方、複数の記録ヘッド５１に対して搬送方向Ｄfの下流側には、本硬化用のＵＶ照射器６２が設けられている。つまり、ＵＶ照射器６２は、ＵＶ照射器６１より強い照射強度の紫外線を照射することで、インクの濡れ広がりが停止する程度に硬化（本硬化）させるものである。
【００２４】
このように、複数の記録ヘッド５１の各間に配置されたＵＶ照射器６１が、搬送方向Ｄfの上流側の記録ヘッド５１からシートＳに吐出された有色インクを仮硬化させる。したがって、一の記録ヘッド５１がシートＳに吐出したインクは、搬送方向Ｄfの下流側で一の記録ヘッド５１に隣り合う記録ヘッド５１に到るまでに仮硬化される。これによって、異なる色の有色インクが混ざり合うといった混色の発生が抑制される。こうして混色が抑制された状態で、複数の記録ヘッド５１は互いに異なる色の有色インクを吐出して、シートＳにカラー画像を形成する。さらに、複数の記録ヘッド５１より搬送方向Ｄfの下流側では、本硬化用のＵＶ照射器６２が設けられている。そのため、複数の記録ヘッド５１により形成されたカラー画像は、ＵＶ照射器６２により本硬化されてシートＳに定着する。
【００２５】
さらに、ＵＶ照射器６２に対して搬送方向Ｄfの下流側には、記録ヘッド５２が設けられている。この記録ヘッド５２は、回転ドラム３０に巻き掛けられたシートＳの表面に対して若干のクリアランスを空けて対向しており、透明のＵＶインクをノズルからインクジェット方式でシートＳの表面に吐出する。つまり、４色分の記録ヘッド５１によって形成されたカラー画像に対して、透明インクがさらに吐出される。この透明インクは、カラー画像の全面に吐出されて、光沢感あるいはマット感といった質感をカラー画像に与える。また、記録ヘッド５２に対して搬送方向Ｄfの下流側には、ＵＶ照射器６３（照射部）が設けられている。このＵＶ照射器６３は強い紫外線を照射することで、記録ヘッド５２が吐出した透明インクを本硬化させるものである。これによって、透明インクをシートＳ表面に定着させることができる。
【００２６】
このように、プロセス部３では、回転ドラム３０の外周部に巻き掛けられるシートＳに対して、インクの吐出および硬化が適宜実行されて、透明インクでコーティングされたカラー画像が形成される。そして、このカラー画像の形成されたシートＳが、後駆動ローラー３２によって巻取部４へと搬送される。
【００２７】
巻取部４は、シートＳの端を巻き付けた巻取軸４０の他に、巻取軸４０と後駆動ローラー３２の間でシートＳを裏面側から巻き掛ける従動ローラー４１を有する。巻取軸４０は、シートＳの表面を外側に向けた状態で、シートＳの端を巻き取って支持する。つまり、巻取軸４０が回転方向Ｃf（図１の時計回り）に回転すると、後駆動ローラー３２から搬送されてきたシートＳが従動ローラー４１を経由して巻取軸４０に巻き取られる。ちなみに、シートＳは、巻取軸４０に着脱可能な芯管４２を介して巻取軸４０に巻き取られる。したがって、巻取軸４０に巻き取られたシートＳが満杯になった際には、芯管４２ごとシートＳを取り外すことが可能となっている。
【００２８】
また、プリンター１は、ニップローラー３１nと従動ローラー３３との間でシートＳの表面に対向するマークセンサーＳmを備える。つまり、シートＳの表面のうち画像記録領域の外側には、複数のアイマークが搬送方向Ｄfに等ピッチで並んでおり、マークセンサーＳmはその検出領域を通過するアイマークを検出する。そして、後述するように、マークセンサーＳmの検出結果に基づいてシートＳの搬送が制御される。
【００２９】
さらに、プリンター１は外装部材１０を備え、図１に示した上記構成を外装部材１０内に収容する（図２）。ここで、図２は、プリンターが備える外装部材を模式的に例示する斜視図であり、同図では外装部材１０に収容される構成のうち一部（繰出軸２０、回転ドラム３０、巻取軸４０）が破線で示されている。外装部材１０は、繰出部２、プロセス部３および巻取部４に対向する扉１２、１３、１４をそれぞれ備える。したがって、ユーザーは、扉１２、１３、１４を開くことで、繰出部２、プロセス部３、巻取部４へアクセスすることができる。
【００３０】
以上がプリンター１の装置構成の概要である。続いて、プリンター１を制御する電気的構成について説明を行なう。図３は、図１に示すプリンターを制御する電気的構成を模式的に例示するブロック図である。プリンター１は、プリンター１の各部を制御するプリンター制御部１００を備える。具体的には、プリンター制御部１００は次のような制御を実行する。
【００３１】
プリンター制御部１００は、プリンター１が備えるユーザーインターフェース２００を介して、ユーザーからの入力を受け付けたり、ユーザーへプリンター１の稼働状況を表示したりする。ユーザーインターフェース２００としては、例えばタッチパネル機能を有するディスプレイ等を用いることができる。ユーザーインターフェース２００は、ユーザーから指令が入力されると、この指令をユーザーインターフェース２００に送信する。そして、プリンター制御部１００は、受け取った指令に応じた動作をプリンター１の各部に実行させる。
【００３２】
また、プリンター制御部１００は、外装部材１０の扉１２、１３、１４の施錠・開錠を制御する機能を司る。具体的には、プリンター制御部１００は、扉１２、１３、１４それぞれに取り付けられた電磁ロックからなるロック機構１５を制御することで、扉１２、１３、１４を施錠あるいは解錠する。つまり、ユーザーがユーザーインターフェース２００に開錠指令を入力すると、ユーザーインターフェース２００はプリンター制御部１００に開錠指令を送信する。これを受けて、プリンター制御部１００はロック機構１５に開錠信号を送って、扉１２、１３、１４を開錠する。一方、ユーザーがユーザーインターフェース２００に施錠指令を入力すると、ユーザーインターフェース２００はプリンター制御部１００に施錠指令を送信する。これを受けてプリンター制御部１００はロック機構１５に施錠信号を送って、扉１２、１３、１４を施錠する。なお、プリンター制御部１００は、ユーザーからの指令に拘わらず、シートＳの搬送を開始する際には扉１２、１３、１４を施錠する。
【００３３】
さらに、プリンター制御部１００は、カラー画像を形成する各記録ヘッド５１のインク吐出タイミングを、シートＳの搬送に応じて制御する。具体的には、このインク吐出タイミングの制御は、回転ドラム３０の回転軸に取り付けられて、回転ドラム３０の回転位置を検出するドラムエンコーダーＥ30の出力（検出値）に基づいて実行される。つまり、回転ドラム３０はシートＳの搬送に伴って従動回転するため、回転ドラム３０の回転位置を検出するドラムエンコーダーＥ30の出力を参照すれば、シートＳの搬送位置を把握することができる。そこで、プリンター制御部１００は、ドラムエンコーダーＥ30の出力からｐｔｓ(print timing signal)信号を生成し、このｐｔｓ信号に基づいて各記録ヘッド５１のインク吐出タイミングを制御することで、各記録ヘッド５１が吐出したインクを搬送されるシートＳの目標位置に着弾させて、カラー画像を形成する。
【００３４】
また、記録ヘッド５２が透明インクを吐出するタイミングも、同様にドラムエンコーダーＥ30の出力に基づいてプリンター制御部１００により制御される。これによって、複数の記録ヘッド５１によって形成されたカラー画像に対して、透明インクを的確に吐出することができる。さらに、ＵＶ照射器６１、６２、６３の点灯・消灯のタイミングや照射光量もプリンター制御部１００によって制御される。
【００３５】
また、プリンター制御部１００は、図１を用いて詳述したシートＳの搬送を制御する機能を司る。つまり、シート搬送系を構成する部材のうち、繰出軸２０、前駆動ローラー３１、後駆動ローラー３２および巻取軸４０それぞれにはモーターが接続されている。そして、プリンター制御部１００はこれらのモーターを回転させつつ、各モーターの速度やトルクを制御して、シートＳの搬送を制御する。このシートＳの搬送制御の詳細は次のとおりである。
【００３６】
プリンター制御部１００は、繰出軸２０を駆動する繰出モーターＭ20を回転させて、繰出軸２０から前駆動ローラー３１にシートＳを供給する。この際、プリンター制御部１００は、繰出モーターＭ20のトルクを制御して、繰出軸２０から前駆動ローラー３１までのシートＳのテンション（繰出テンションＴa）を調整する。つまり、繰出軸２０と前駆動ローラー３１の間に配置された従動ローラー２１には、繰出テンションＴaの大きさを検出するテンションセンサーＳ21が取り付けられている。このテンションセンサーＳ21は、例えばシートＳから受ける力の大きさを検出するロードセルによって構成することができる。そして、プリンター制御部１００は、テンションセンサーＳ21の検出結果（検出値）に基づいて、繰出モーターＭ20のトルクをフィードバック制御して、シートＳの繰出テンションＴaを調整する。
【００３７】
また、プリンター制御部１００は、前駆動ローラー３１を駆動する前駆動モーターＭ31と、後駆動ローラー３２を駆動する後駆動モーターＭ32とを回転させる。これによって、繰出部２から繰り出されたシートＳがプロセス部３を通過する。この際、前駆動モーターＭ31に対しては速度制御が実行される一方、後駆動モーターＭ32に対してはトルク制御が実行される。つまり、プリンター制御部１００は、前駆動モーターＭ31のエンコーダー出力に基づいて、前駆動モーターＭ31の回転速度を一定に調整する。これによって、シートＳは、前駆動ローラー３１によって一定速度で搬送される。
【００３８】
一方、プリンター制御部１００は、後駆動モーターＭ32のトルクを制御して、前駆動ローラー３１から後駆動ローラー３２までのシートＳのテンション（プロセステンションＴb）を調整する。つまり、回転ドラム３０と後駆動ローラー３２の間に配置された従動ローラー３４には、プロセステンションＴbの大きさを検出するテンションセンサーＳ34が取り付けられている。このテンションセンサーＳ34は、例えばシートＳから受ける力の大きさを検出するロードセルによって構成することができる。そして、プリンター制御部１００は、テンションセンサーＳ34の検出結果（検出値）に基づいて、後駆動モーターＭ32のトルクをフィードバック制御して、シートＳのプロセステンションＴbを調整する。
【００３９】
また、プリンター制御部１００は、巻取軸４０を駆動する巻取モーターＭ40を回転させて、後駆動ローラー３２が搬送するシートＳを巻取軸４０に巻き取る。この際、プリンター制御部１００は、巻取モーターＭ40のトルクを制御して、後駆動ローラー３２から巻取軸４０までのシートＳのテンション（巻取テンションＴc）を調整する。つまり、後駆動ローラー３２と巻取軸４０の間に配置された従動ローラー４１には、巻取テンションＴcの大きさを検出するテンションセンサーＳ41が取り付けられている。このテンションセンサーＳ41は、例えばシートＳから受ける力の大きさを検出するロードセルによって構成することができる。そして、プリンター制御部１００は、テンションセンサーＳ41の検出結果（検出値）に基づいて、巻取モーターＭ40のトルクをフィードバック制御して、シートＳの巻取テンションＴcを調整する。
【００４０】
このように、プリンター制御部１００は繰出軸２０から巻取軸４０へ向かう搬送方向ＤfへシートＳと搬送しつつ、記録ヘッド５１、５２によってシートＳへ画像を記録する。この際、プリンター制御部１００は、シートＳの搬送量をマークセンサーＳmの検出結果に基づいて把握する。つまり、プリンター制御部１００は、カウンター１１０を有しており、シートＳの搬送に伴って搬送方向Ｄfへ通過するアイマークをマークセンサーＳmが検出する度にカウンター１１０のカウント値をインクリメントする。これによって、カウンター１１０のカウント値から搬送方向ＤfへのシートＳの搬送量を把握することができる。
【００４１】
なお、本実施形態では、プリンター制御部１００は、搬送方向ＤfにシートＳを搬送する順搬送だけでなく、巻取軸４０から繰出軸２０へ向かう搬送方向Ｄb（すなわち、搬送方向Ｄfとは逆の方向）へシートＳを搬送する逆搬送も実行可能である。具体的には、プリンター制御部１００は、各モーターＭ20、Ｍ31、Ｍ32、Ｍ40を制御することで、繰出軸２０、前駆動ローラー３１、後駆動ローラー３２および巻取軸４０を順搬送の場合と逆方向へ回転させて、逆搬送を実行する。この際、プリンター制御部１００は、逆搬送におけるシートＳの搬送量をマークセンサーＳmの検出結果に基づいて把握する。つまり、シートＳの搬送に伴って搬送方向Ｄbへ通過するアイマークをマークセンサーＳmが検出する度にカウンター１１０のカウント値をディクリメントする。これによって、カウンター１１０のカウント値から搬送方向ＤbへのシートＳの搬送量を把握することができる。
【００４２】
特に本実施形態では、プリンター制御部１００は、順搬送を終了した際には、逆搬送を実行してからシートＳを停止させる。図４は、プリンター制御部が実行する順搬送終了制御の一例を示すフローチャートである。図５は、図４のフローチャートに従って実行される動作の一例を模式的に示す図であり、搬送経路Ｐcに沿って展開した様子を示す。特に図５では、シートＳの搬送状態が時系列ｔ1、ｔ2、ｔ3の順に示されている。
【００４３】
ステップＳ１０１では、実行中の順搬送を終了するか否かを判断する。そして、シートＳの順搬送を終了する場合には、順搬送を終了すると判断し（ステップＳ１０１で「ＹＥＳ」）、ステップＳ１０２へ進む。具体的には、例えばシートＳへの画像記録の完了に伴って順搬送を停止する場合や、ユーザーから入力された停止指令に応じて強制的に順搬送を停止する場合等に、ステップＳ１０１で順搬送を終了すると判断する。
【００４４】
ステップＳ１０２では、シートＳに未硬化の画像があるか否かを判断する。そして、未硬化の画像が無い場合（ステップＳ１０２で「ＮＯ」の場合）には、ステップＳ１０４へ進んでシートＳの順搬送を停止する。一方、未硬化の画像が有る場合（ステップＳ１０２で「ＹＥＳ」の場合）には、未硬化の画像が本硬化用のＵＶ照射器６３の下を通過するまでシートＳの順搬送を継続し、未硬化画像の硬化（本硬化）を実行する（ステップＳ１０３）。そして、全ての画像の硬化が完了してから、ステップＳ１０４へ進んでシートＳの順搬送を停止する。例えば図５の例では、時刻ｔ1で最後に形成された画像Ｉ1がＵＶ照射器６３の下を通過するまで搬送方向Ｄfへ順搬送を継続してから、順搬送を停止する（時刻ｔ2）。
【００４５】
ステップＳ１０５では、前駆動ローラー３１とニップローラー３１nの間に画像Ｉ1を位置させるために必要となる逆搬送量Ｌbを算出する。続いて、シートＳの逆搬送を開始するとともに（ステップＳ１０６）、カウンター１１０のカウント値に基づいて、逆搬送量Ｌbの搬送を完了したか否かを判断する（ステップＳ１０７）。そして、逆搬送量Ｌbの搬送を完了すると（ステップＳ１０７で「ＹＥＳ」）、ステップＳ１０８において逆搬送を停止する。こうして、前駆動ローラー３１とニップローラー３１nとの間に画像Ｉ1を位置させた状態でシートＳの搬送を停止させる（時刻ｔ3）。
【００４６】
続くステップＳ１０９では、ステップＳ１０１において順搬送を終了すると判断した理由がユーザーからの停止指令であったか否かを判断する。そして、ユーザーからの停止指令以外の理由であった場合（ステップＳ１０９で「ＮＯ」の場合）には、扉１２、１３、１４を施錠したまま図４のフローチャートを終了する。一方、ユーザーからの停止指令が理由であった場合（ステップＳ１０９で「ＹＥＳ」の場合）には、扉１２、１３、１４を開錠してから（ステップＳ１１０）、図４のフローチャートを終了する。
【００４７】
以上のように本実施形態では、前駆動ローラー３１とニップローラー３１nの間に挟まれたシートＳを搬送方向Ｄfに搬送しつつ、前駆動ローラー３１よりも搬送方向Ｄfの下流側に配置された記録ヘッド５１、５２によってシートＳに画像を記録する。かかる構成では、搬送方向ＤfへのシートＳの搬送を停止した際には、未記録のシートＳが前駆動ローラー３１とニップローラー３１nとの間で停止することとなる。そのため、シートＳの搬送を停止する時間が長くなると、駆動ローラーとニップローラーとの間に位置していた未記録の記録媒体が変質してしまうことがある。その結果、その後の画像記録において変質部分に画像を良好に記録できず、変質部分に記録された画像が筋状の痕（ニップ痕）として視認されるといった課題（すなわち、画質の低下という課題）が生じるおそれがある。
【００４８】
かかるニップ痕が生じる要因としては種々推察される。具体例を挙げると、シートＳの表面がニップローラー３１nとの長時間の接触によって帯電して、変質してしまうことが考えられる。あるいは、次に詳述するように、ニップローラー３１nから表出した成分がシートＳの表面を変質させることも考えられる。
【００４９】
例えばニップローラー３１nとしてゴムローラーを用いた場合は、いわゆるブリードと称される現象によってニップローラー３１nの外周面にゴムの成分が表出する。したがって、シートＳの搬送を一定時間以上停止させると、シートＳのうちニップローラー３１nに接していた部分にゴムから表出した成分が多く付着し、シートＳの当該部分が変質してしまう。その結果、その後にシートＳに画像記録を行った場合に、変質部分の画像の質感が他の部分の画像の質感と異なり、変質部分に記録された画像が筋状の痕（ニップ痕）として視認される場合があった。また、ニップローラー３１nとしてＰＦＡローラーを用いた際にも、ニップローラー３１nから表出した成分に起因すると考えられるニップ痕が視認される場合があった。
【００５０】
なお、かかる要因で発生するニップ痕は、紙系の基材を有するシートＳよりも、フィルム系の基材を有するシートＳに特に顕著に現れる傾向にあると考えられる。つまり、紙系の基材を有するシートＳでは、ニップローラー３１nの外周面から表出した成分が基材に染み込んで吸収されるため、基材表面の濡れ性がそれほど悪化せず、ニップ痕が目立たない。一方、フィルム系の基材を有するシートＳでは、ニップローラー３１nの外周面から表出した成分が基材に染み込まないため、基材表面の濡れ性が悪化して、ニップ痕が顕著になる。
【００５１】
このようなニップ痕の問題に対して本実施形態では、搬送方向ＤfへのシートＳの搬送（順搬送）を停止すると、搬送方向Ｄfと逆方向の搬送方向ＤbへのシートＳの搬送を開始する。そして、シートＳに記録された画像Ｉ1を前駆動ローラー３１とニップローラー３１nとの間に位置させた状態で、搬送方向ＤbへのシートＳの搬送を停止する。したがって、未記録のシートＳが前駆動ローラー３１とニップローラー３１nとの間で停止する時間は、搬送方向Ｄfへの搬送を停止してから搬送方向Ｄbへの搬送を開始するまでの時間に抑えることができる。その結果、未記録のシートＳの変質を抑えて、シートＳにニップ痕が生じるのを抑制することが可能となっている。
【００５２】
また、本実施形態では、順搬送の停止の理由がユーザーからの停止指令であった場合には、逆搬送を停止するまでは扉１２、１３、１４を施錠しておき、逆搬送を停止してから扉１２、１３、１４を開錠する。かかる構成では、逆搬送が停止するまでは扉１２、１３、１４の施錠によってユーザーが外装部材１０の内部にアクセスするのを防止できるとともに、逆搬送を停止した後は扉１２、１３、１４によってユーザーが外装部材１０の内部に対して所望の作業を実行できる。
【００５３】
また、本実施形態では、順搬送を停止するにあたって、未硬化の画像がシートＳに存在する場合は、未硬化の画像を硬化させてから順搬送を停止する。したがって、その後の逆搬送によって前駆動ローラー３１とニップローラー３１nとの間に位置させる画像Ｉ1は、光の照射によって硬化したものとなる。よって、未硬化の画像Ｉ1に接触することによって前ニップローラー３１nが汚れるのを抑制することができる。また、硬化後の画像は、ニップローラー３１nから表出した成分による影響を受けないため、画像Ｉ1が変質することはない。
【００５４】
以上のように、上記実施形態では、プリンター１が本発明の「画像記録装置」の一例に相当し、前駆動ローラー３１が本発明の「駆動ローラー」の一例に相当し、ニップローラー３１nが本発明の「従動ローラー」の一例に相当し、プリンター制御部１００が本発明の「制御部」の一例に相当し、シートＳが本発明の「記録媒体」の一例に相当し、搬送方向Ｄfが本発明の「第１方向」の一例に相当し、搬送方向Ｄbが本発明の「第２方向」の一例に相当する。また、外装部材１０が本発明の「外装部材」の一例に相当し、扉１２、１３、１４のそれぞれが本発明の「扉」の一例に相当し、ロック機構１５が本発明の「ロック機構」の一例に相当し、ユーザーインターフェース２００が本発明の「ユーザーインターフェース」の一例に相当し、ＵＶ照射器６１、６２が本発明の「照射部」の一例に相当する。
【００５５】
なお、本発明は上記実施形態に限定されるものではなく、その趣旨を逸脱しない限りにおいて上述したものに対して種々の変更を加えることが可能である。例えば、上記実施形態のように、前駆動ローラー３１とニップローラー３１nでシートＳを挟んだ場合、シートＳにはニップ荷重が与えられる。このニップ荷重の具体的数値については特に言及しなかったが、例えばニップ荷重を８６[N]〜１２８[N]に設定すると、種々のシートＳの搬送を比較的安定して行うことができる。この際、ニップローラー３１nとしては、例えば上述のＰＦＡローラーを用いることができる。
【００５６】
また、上記実施形態では、順搬送を停止してから逆搬送を開始するまでの時間、換言すれば停止中のシートＳが前駆動ローラー３１とニップローラー３１nの間に挟まれるニップ時間の具体的数値については特に言及しなかった。しかしながら、このニップ時間についても種々の値に適宜設定することができる。
【００５７】
図６は、ニップ荷重、ニップ時間およびニップ痕との関係を実験した結果を表形式で示す図である。同図は、エーブリー・デニソン・コーポレイション社の「＃７６９１１」のシートＳを、各ニップ荷重で各ニップ時間だけ前駆動ローラー３１とニップローラー３１nで挟んだ後に５０[％]の印刷デューティーでシアン単色の画像を形成し、ニップ痕を肉眼で確認した結果を示す。この実験結果から、上述した８６[N]〜１２８[N]のニップ荷重、すなわち１００[N]程度のニップ荷重をシートＳに与える場合には、ニップ時間は１０秒以内が好ましく、２．５秒以内がさらに好ましいことが判る。特に、ニップ時間を２．５秒以内に設定した場合は、ニップ痕を肉眼では確認できない。つまり、順搬送を停止してから２．５秒以内に逆搬送を開始すれば、未記録のシートＳが前駆動ローラー３１とニップローラー３１nとの間で停止する時間を２．５秒以内に抑えることができ、ニップ痕が生じるのをより確実に抑制することができる。
【００５８】
また、上記実施形態では、順搬送を停止する理由として、画像記録の完了と、ユーザーによる停止指令とが例示されていた。しかしながら、これら以外の理由によって順搬送を停止する場合においても、本発明を適用することができる。
【００５９】
そこで、例えばクリーニングおよびワイピングといったメンテナンスを行うに際して、順搬送を終了する際にも本発明を適用すると良い。具体的には、順搬送を終了後に逆搬送を行って、シートＳに記録された画像を前駆動ローラー３１とニップローラー３１nとの間に位置させる。そして、逆搬送と並行してあるいは逆搬送の停止後にメンテナンスを実行すれば良い。ここで、クリーニングは、記録ヘッド５１、５２のノズルからインクを強制的に排出する動作であり、ワイピングは、記録ヘッド５１、５２のノズル形成面をワイパーにより拭く動作である。なお、これらメンテナンスは、図１の紙面に垂直な方向において回転ドラム３０に隣り合って設けられたメンテナンス位置（図示省略）まで記録ヘッド５１、５２を移動させた状態で実行される。
【００６０】
あるいは、記録ヘッド５１、５２のノズルからのインクの吐出状態を確認するのに際して、順搬送を終了する際にも本発明を適用すると良い。具体的には、順搬送を終了後に逆搬送を行って、シートＳに記録された画像を前駆動ローラー３１とニップローラー３１nとの間に位置させる。そして、逆搬送と並行してあるいは逆搬送の停止後にインクの吐出状態の確認を実行すれば良い。なお、インクの吐出状態の確認は、例えば特許第３７９４４３１号公報のように記録ヘッド５１、５２のノズル内に圧力を加える振動板の残留振動に基づく方法により行うことができる。この際、インクの吐出状態の確認は、ノズルからのインクの吐出を伴わない場合は記録ヘッド５１、５２を回転ドラム３０に対向させたまま実行すれば良いし、ノズルからのインクの吐出を伴う場合は、上述のメンテナンス位置に記録ヘッド５１、５２を移動させてから実行すれば良い。
【００６１】
また、上記実施形態では、順搬送を停止するにあたっては、未硬化の画像を硬化させてから順搬送を停止していた。この際、シートＳに存在する画像Ｉ1を本硬化させる必要はなく、画像Ｉ1がニップローラー３１nと接触した際に画像Ｉ1がニップローラー３１nに転写しない程度に画像Ｉ1を硬化させれば良い。
【００６２】
また、上記実施形態では、シートＳに設けられたアイマークに基づいてシートＳの逆搬送量を制御することで、前駆動ローラー３１とニップローラー３１nとの間に画像Ｉ1を位置させていた。しかしながら、例えば前駆動ローラー３１とニップローラー３１nとの間の画像を検出するセンサーの検出結果に基づいてシートＳの逆搬送量を制御することで、前駆動ローラー３１とニップローラー３１nとの間に画像Ｉ1を位置させるように構成しても良い。
【００６３】
また、上記実施形態では、前駆動ローラー３１がシートＳの裏面に接し、ニップローラー３１nがシートＳの表面に接していた。しかしながら、前駆動ローラー３１がシートＳの表面に接し、ニップローラー３１nがシートＳの裏面に接するように、ローラー３１、３１nを配置しても構わない。
【００６４】
また、上記実施形態では、記録ヘッド５１、５２からＵＶインクを吐出して画像を記録していた。しかしながら、記録ヘッド５１、５２から水性インクを吐出して画像を記録しても良い。
【００６５】
また、搬送されるシートＳを支持する部材についても、上記回転ドラム３０のような円筒形状のものに限られない。したがって、シートＳを平面で支持するフラット型のプラテンを用いることも可能である。
【符号の説明】
【００６６】
１…プリンター、３１…前駆動ローラー、３１n…ニップローラー、１０…外装部材、１２…扉、１３…扉、１４…扉、１５…ロック機構、６１…ＵＶ照射器、６２…ＵＶ照射器、１００…プリンター制御部、２００…ユーザーインターフェース、Ｓ…シート、Ｄf…搬送方向、Ｄb…搬送方向
【図１】
2015168156.tif 000003
【図２】
2015168156.tif 000004
【図３】
2015168156.tif 000005
【図４】
2015168156.tif 000006
【図５】
2015168156.tif 000007
【図６】
2015168156.tif 000008